(57)【要約】【課題】システムバス内のスペースを拡張するとともに、壁パネルと天井パネルとの連結作業を簡素化することができる浴室用縁部材を提供すること。【解決手段】システムバスの壁パネル１に止着され天井パネル２と連結する浴室用縁部材５であって、この縁部材５は壁パネル１の上部に嵌合する嵌合部６と、この嵌合部６からシステムバス内方に延設した延設部８とで構成され、この延設部８が天井パネル２を介して天井の梁１０と固定されるようにすることで、システムバス内のスペースを拡張することが可能となる。【選択図】  図４
2004225352.tif 000002
【特許請求の範囲】
【請求項１】
システムバスの壁パネルに止着され天井パネルと連結する浴室用縁部材であって、前記縁部材は壁パネル上部に嵌合する嵌合部と、該嵌合部からシステムバス内方に延設した延設部とで構成され、前記延設部が天井パネルを介して天井の梁と固定されていることを特徴とする浴室用縁部材。
【請求項２】
前記延設部は壁パネル面に係合する部分と、天井パネルの底面に係合する部分と、その両部分を連結する部分から成り、その断面形状が略三角形の中空体である請求項１に記載の浴室用縁部材。
【請求項３】
前記両部分を連結する部分は、少なくとも壁パネル面に係合する部分あるいは天井パネルの底面に係合する部分と分離可能であり、天井パネルの底面に係合する部分には前記梁に螺着するねじ止め用挿通孔が形成されている請求項２に記載の浴室用縁部材。
【請求項４】
前記両部分を連結する部分は天井底面側と壁パネル面側に軟質の止水片が設けられている請求項２または３に記載の浴室用縁部材。
【発明の詳細な説明】
【０００１】
【発明の属する技術分野】
本発明は、システムバスの壁パネルに止着され天井パネルと連結する浴室用縁部材に関する。
【０００２】
【従来の技術】
システムバスの壁パネルに止着され天井パネルと連結する浴室用縁部材として、例えば特許文献１に記載されているような連結構造が一般的に知られている。この連結構造は天井パネルの最外端部に連結部材を固着した後、この連結部材のコ字状嵌合部に壁パネルの上端部を嵌合させ、連結部材の内側縁を壁パネルにねじ止めし、天井パネルの最外端と壁パネルが整列するようにして取付けられていた。その後、連結部材の内側縁に防水カバーを螺着して防水処理を施していた。
【０００３】
【特許文献１】
特開２０００−３３６９５９号公報（第２―３頁、図１、２）
【０００４】
【発明が解決しようとする課題】
しかしながら、上記特許文献１に記載の壁パネルと天井パネルとの連結構造は、取付構造上、壁パネルを天井パネルの最外端部に合わせる必要があるために、システムバスの広さが天井パネルの大きさ以上に拡げることはできなかった。また組み立て手順も、先に連結部材を天井パネルに取付けてからでないと、壁パネルにねじ止めすることができず、天井パネル直下近傍のねじ止め作業は煩雑であった。しかも防水カバーを天井パネルと連結部材の間に押し込む必要があり極めて面倒な作業であった。
【０００５】
本発明は、このような状況に鑑みてなされたものであり、システムバス内のスペースを拡張するとともに、壁パネルと天井パネルとの連結作業を簡素化することができる浴室用縁部材を提供することを目的とするものである。
【０００６】
【課題を解決するための手段】
上記課題を解決するために、本発明の浴室用縁部材は、システムバスの壁パネルに止着され天井パネルと連結する浴室用縁部材であって、前記縁部材は壁パネル上部に嵌合する嵌合部と、該嵌合部からシステムバス内方に延設した延設部とで構成され、前記延設部が天井パネルを介して天井の梁と固定されていることを特徴としている。
この特徴によれば、縁部材の壁パネル上部と嵌合する嵌合部が天井の梁と固定される延設部より外側に設けることができるので、システムバス内のスペースを拡張することが可能である。
【０００７】
本発明の浴室用縁部材において、前記嵌合部は延設部と一体に構成され、前記延設部は壁パネル面に係合する部分と、天井パネルの底面に係合する部分と、その両部分を連結する部分から成り、その断面形状が略三角形の中空体であることが好ましい。
このようにすれば、嵌合部と延設部が一体に構成されているので組み付けが容易であり、延設部が三角形状であるので強度的にも堅牢である。
【０００８】
本発明の浴室用縁部材において、前記両部分を連結する部分は、少なくとも壁パネル面に係合する部分あるいは天井パネルの底面に係合する部分と分離可能であり、天井パネルの底面に係合する部分には前記梁に螺着するねじ止め用挿通孔が形成されていることが好ましい。
このようにすれば、両部分を連結する部分を壁パネル面に係合する部分あるいは天井パネルの底面に係合する部分から分離して天井パネルの底面に係合する部分を梁に螺着することができるので、取付作業が楽である。
【０００９】
本発明において、前記両部分を連結する部分は天井底面側と壁パネル面側に軟質の止水片が設けられていることが好ましい。
このようにすれば、両部分を連結する部分に止水片が設けられているので、防水カバーを後から取付けることなく、縁部材を取付けることで防水処理が完了する。
【００１０】
【発明の実施の形態】
本発明の実施形態について図面を参照して説明する。
【００１１】
図１は本発明の一実施形態に係る浴室用縁部材を使用して壁パネルに天井パネルを止着した状態を示す浴室内の部分斜視図、図２は浴室用縁部材の側面図、図３は浴室用縁部材を使用して天井パネルに壁パネルを止着する状態を示す説明図であり、図４は浴室用縁部材を使用して天井パネルに壁パネルを止着した状態を示す図１のＡ−Ａ断面図である。
【００１２】
図１において、１は矩形枠状に組立てられたシステムバスの壁パネルであり、２は壁パネル１の上端に取付けられた天井パネルである。両パネル１，２は、ウレタン樹脂等の樹脂ボードの両面をステンレス板で挟持した積層構造であり、このステンレス板の表面は防水性の化粧シートで被覆されている。
【００１３】
天井パネル２は、壁パネル１の上端周囲に長尺の浴室用縁部材（以下縁部材と称する）５によって気密に連結支持されている。
【００１４】
図２，図４に示すように、縁部材５は、壁パネル１の上部に嵌合する嵌合部６と、この嵌合部６からシステムバス内方に延設した延設部８とからなる合成樹脂製の連結部品であって、延設部８が天井パネル２を介して天井の梁１０と固定されている。
【００１５】
延設部８は、壁パネル１のパネル面１ａに係合する壁パネル係合部兼挟持片６ｂと、天井パネル２の底面に係合する天井パネル係合部８ａと、その両部分を連結する連結部８ｃから成り、その断面形状が略三角形の中空体で構成されている。
【００１６】
図３に示すように、両部分を連結する連結部８ｃは、壁パネル１のパネル面１ａに係合する壁パネル係合部兼挟持片６ｂと分離可能に構成されており、天井パネル２の底面２ａに係合する天井パネル係合部８ａには梁１０に螺着するねじ止め用挿通孔Ｈが所定間隔で長手方向に配設されている。
【００１７】
詳しくは、縁部材５の嵌合部６は、長手方向に延設する挟持片６ａと壁パネル係合部兼挟持片６ｂによって壁パネル１の両側面を弾力的に挟持可能な下方に向く開口部が形成されており、開口部の上底には帯状のシール部材１２が装着され、内側の壁パネル係合部兼挟持片６ｂの下端には、連結部８ｃ先端近傍の爪片１４ａと係脱可能な爪片１４ｂが外側に突設している。
【００１８】
また、連結部８ｃは、天井パネル係合部８ａの先端から鋭角に下方に折曲して一体的に形成されており、折曲部近傍の対面する天井パネル係合部８ａ下面と連結部８ｃの上面には、相互間を係脱可能に連結する爪片１５ａ，１５ｂが形成されている。
【００１９】
更に、連結部８ｃは、天井パネル係合部８ａの先端に止水片となる軟質のリップ片１６ａが形成されると共に、連結部８ｃ先端に下方に若干湾曲する止水片となる軟質のリップ片１６ｂが延設して形成されている。
【００２０】
次に、浴室用縁部材を使用して縁部材と天井パネルを連結する手順を図３及び図４を参照して説明する。
【００２１】
先ず、壁パネル１を枠状に組付けた後、壁パネル１の上端周囲に沿って縁部材５の嵌合部６を帯状のシール部材１２を介して装着する。壁パネル１上端への装着に際し嵌合部６は、両挟持片６ａ，６ｂを弾力的に外方に押し開いた状態で挿入される。
【００２２】
天井パネル２は、その周縁底面を梁１０に固着して位置決めした状態で取付けられ、延設部８をシステムバス内方に延設するように壁パネル１の上端周囲に縁部材５が装着されると、延設部８の天井パネル係合部８ａ上に形成したねじ止め用挿通孔Ｈが梁１０の下方にくるように位置決めされる。
【００２３】
次いで、連結部８ｃを弾性変形させながら爪片１４ａを爪片１４ｂから、また爪片１５ａを爪片１５ｂからそれぞれ開放し、ねじ止め用挿通孔Ｈに止めねじ１８を挿通したのち、ドライバ２０を介してねじ込むことで天井パネル係合部８ａが天井パネル２を介して天井パネル周縁上部の梁１０に固定される。
【００２４】
天井パネル係合部８ａが固定されると、天井パネル係合部８ａ先端のリップ片１６ａにより天井パネル２底面が弾力的に押圧され、開放状態の連結部８ｃを上方に揺動させて閉鎖することで、連結部８ｃ先端近傍の爪片１４ａと壁パネル１側の爪片１４ｂが係合すると共に、連結部８ｃ上面の爪片１５ａと天井パネル係合部８ａ下面の爪片１５ｂが互いに係合し、同時に壁パネル１の壁パネル面１ａは軟質のリップ片１６ｂにより弾力的に押圧される。
【００２５】
縁部材５を介して連結された壁パネル１と天井パネル２の接合面は、軟質のリップ片１６ａ，１６ｂによってシールされるので、例えばドーム型の天井パネル２に付着した水滴などが落下する際は、リップ片１６ａ，１６ｂを伝わって壁パネル１の内面に沿って流れ落ちるため、システムバスの壁パネル１外部への漏洩を阻止することができる。
【００２６】
上記実施形態のように、縁部材５の壁パネル１上部と嵌合する嵌合部６が、天井の梁１０と固定される延設部８より外側に設けることができるので、システムバス内のスペースを拡張することが可能となる。
【００２７】
また、嵌合部は延設部と一体に構成されているので、組み付けが容易となるだけでなく、延設部８が、壁パネル１のパネル面１ａに係合する壁パネル係合部兼挟持片６ｂと、天井パネル２の底面に係合する天井パネル係合部８ａと、その両部分を連結する連結部８ｃから成る略三角形の中空体で構成されるので強度的に堅牢となる。なお、嵌合部と延設部は必ずしも一体に構成する必要はなく、嵌合部を壁パネルに嵌合した後に、三角状の延設部を嵌合部にネジ等で固着してもよい。
【００２８】
更に、連結部８ｃは、壁パネル１のパネル面１ａに係合する壁パネル係合部兼挟持片６ｂと分離可能であって、天井パネル係合部８ａには梁１０に螺着するねじ止め用挿通孔Ｈが形成されており、連結部８ｃが壁パネル１のパネル面１ａに係合する部分から分離して天井パネル２の底面に係合する部分を梁に螺着することができるので取付作業が容易となる。
【００２９】
そして、連結部８ｃには、天井パネル係合部８ａの先端に軟質のリップ片１６ａが形成されると共に、連結部８ｃ先端にも下方に若干湾曲する止水片となる軟質のリップ片１６ｂが延設して形成されているので、防水カバーを後から取付けることなく、縁部材５を取付けることで防水処理が完了する。
【００３０】
尚、上記実施形態では、連結部８ｃが壁パネル１のパネル面１ａに係合する壁パネル係合部兼挟持片６ｂが壁パネル１側から分離可能に構成した例に付き説明したが、連結部８ｃを壁パネル１のパネル面側と一体的に形成して天井パネル２の底面に係合する天井パネル係合部８ａから分離可能に構成することもでき、あるいは天井パネル係合部８ａ及び壁パネル係合部兼挟持片６ｂの両者と分離しても同様の作用・効果を得ることができる。
【００３１】
【発明の効果】
本発明は以下の効果を奏する。
【００３２】
（ａ）請求項１項の発明によれば、縁部材の壁パネル上部と嵌合する嵌合部が天井の梁と固定される延設部より外側に設けることができるので、システムバス内のスペースを拡張することが可能である。
【００３３】
（ｂ）請求項２項の発明によれば、嵌合部と延設部が一体に構成されているので組み付けが容易であり、延設部が三角形状であるので強度的にも堅牢である。
【００３４】
（ｃ）請求項３項の発明によれば、両部分を連結する部分を壁パネル面に係合する部分あるいは天井パネルの底面に係合する部分から分離して天井パネルの底面に係合する部分を梁に螺着することができるので、取付作業が楽である。
【００３５】
（ｄ）請求項４項の発明によれば、両部分を連結する部分に止水片が設けられているので、防水カバーを後から取付けることなく、縁部材を取付けることで防水処理が完了する。
【図面の簡単な説明】
【図１】本発明の一実施形態に係る浴室用縁部材を使用して壁パネルに天井パネルを止着した状態を示す浴室内の部分斜視図である。
【図２】浴室用縁部材の側面図である。
【図３】浴室用縁部材を使用して天井パネルに壁パネルを止着する状態を示す説明図である。
【図４】浴室用縁部材を使用して天井パネルに壁パネルを止着した状態を示す図１のＡ−Ａ断面図である。
【符号の説明】
１                    壁パネル
１ａ                  パネル面
２                    天井パネル
２ａ                  底面
５                    縁部材（浴室用縁部材）
６                    嵌合部
６ａ                  挟持片
６ｂ                  壁パネル係合部兼挟持片
８                    延設部
８ａ                  天井パネル係合部
８ｃ                  連結部
１０                  梁
１２                  シール部材（止水片）
１４ａ，１４ｂ        爪片
１５ａ，１５ｂ        爪片
１６ａ，１６ｂ        リップ片
２０                  ドライバ
Ｈ                    ねじ止め用挿通孔
【図１】
2004225352.tif 000003
【図２】
2004225352.tif 000004
【図３】
2004225352.tif 000005
【図４】
2004225352.tif 000006